(57)【要約】【課題】装飾の絵、図案、図柄、文字の字数や配列の自由度が向上した画像表示フレームを提供する。【解決手段】画像表示フレーム１は、各種の画像表示体３による裏側からの表示画像を視認させる窓が形成された枠板２と、前記枠板２の、前記表示画像を視認させる表面に対して開閉可能に組合わされる見開き板４と、前記枠板２に前記見開き板４を、開閉できるように連結する連結具５とを備える。【選択図】図１
0003165146.tif 000002
【実用新案登録請求の範囲】
【請求項１】
画像表示体による裏側からの表示画像を視認させる窓が形成された枠板と、
前記枠板の、前記表示画像を視認させる表面に対して見開けるように用いられる見開き板と、
前記枠板に前記見開き板を、開閉できるように連結する連結具とを組み合わせて備えた画像表示フレーム。
【請求項２】
画像表示体による裏側からの表示画像を視認させる窓が形成された枠板と、
前記枠板の、前記表示画像を視認させる表面に対して見開き面となる表面を持った見開き板と、
これら枠板と見開き板とを、互いの表面を見開きまた閉じるように連結した連結具とを備え、
枠板及び見開き板の少なくとも見開き板の表面に、装飾を施した画像表示フレーム。
【請求項３】
画像表示体による裏側からの表示画像を視認させる窓が形成された枠板と、
前記枠板の、前記表示画像を視認させる表面に対して見開き面となる表面を持った見開き板と、
これら枠板と見開き板とを、互いの表面を見開きまた閉じるように連結した連結具とを備え、
枠板及び見開き板の少なくとも見開き板の表面に装飾を、漆芸による表現を含んで施した漆器をなしている画像表示フレーム。
【考案の詳細な説明】
【技術分野】
【０００１】
本考案は、デジタルフォトなどに利用される画像表示フレームに関する。
【背景技術】
【０００２】
液晶ディスプレイ等の画像表示体を、木材や合成樹脂等からなる枠板に嵌めこんで表示に供する画像表示フレームは、従来から実用されている（例えば下記非特許文献１参照）。図３にこのような画像表示フレームの一例を示す。図３において、画像表示フレーム１００は、画像表示体であるディスプレイ１０３と、ディスプレイ１０３を視認させる窓を有する枠板１０２とを備える。画像表示フレーム１００はさらに、脚部１０６等の支持部材を備える。
【０００３】
枠板１０２へのディスプレイ１０３の装着は、枠板１０２の裏面からディスプレイ１０３を嵌めこんだ上で、ねじ止め等で固定することにより行われている。枠板１０２の、ディスプレイ１０３の周囲を囲む部分は、必要に応じて塗装等により装飾を施すことがなされる。図３に示す画像表示フレーム１００の場合は、漆を塗った下地処理後に蒔絵による装飾を施してある。
【先行技術文献】
【非特許文献】
【０００４】
【非特許文献１】ウィキペディア「デジタルフォトフレーム」
【考案の概要】
【考案が解決しようとする課題】
【０００５】
上述の画像表示フレーム１００において、漆を用いて装飾を施すことができるのは、枠板１０２の、ディスプレイ１０３の周囲を囲む部分の表面である。つまり、枠板１０２はその中央部に、ディスプレイ１０３を視認させる窓を有するので、装飾を施せる面積が大きくない上に、装飾の図案は中抜き状態になる制約がある。
【０００６】
例えば、このような画像表示フレーム１００に対しては、記念品等、用途によって文字や絵、図柄などで代表される装飾を入れる要望があり得る。窓を有する枠板１０２は、字数や配列向きに制約はあるものの、文字を入れるのは比較的自由にできる。しかし、ディスプレイ１０３の周囲に文字が入れられると目立ち過ぎ、外観が損なわれるきらいがある。また、絵や図柄を表現しようとすると中抜きになるため、額縁飾り程度にしかならず表現幅がごく限られ、意匠性、芸術性など装飾性を究められなかった。
【０００７】
上述の問題に鑑みて、本考案は装飾性を究められ、文字を入れるにも字数や配列の自由度が高く詩歌の表現にも適し、枠板の窓へのデジタル画像表示にも影響しない画像表示フレームを提供することを目的とする。
【課題を解決するための手段】
【０００８】
上記目的を達成するために、本考案に係る画像表示フレームは、デジタルフォトフレームなど各種の画像表示体による裏側からの表示画像を視認させる窓が形成された枠板と、前記枠板の、前記表示画像を視認させる表面に対して開閉可能に組合わされる見開き板と、前記枠板に前記見開き板を、開閉できるように連結する連結具とを備える。
【０００９】
このような構成では、枠板、見開き板共に、それらが見開かれる枠面及び板面を個別に、漆芸などを利用した文字、絵、図案、図柄で代表される装飾に供することができるし、連結具による連結後に装飾に供することもできる。地塗りが必要な場合は、連結前が全面を開放して自由に作業できる。装飾は下地処理を含み、主として漆芸を利用し、蒔絵技術も適用できる。
【００１０】
本考案に係る画像表示フレームはまた、デジタルフォトフレームなど各種の画像表示体による裏側からの表示画像を視認させる窓が形成された枠板と、前記枠板の、前記表示画像を視認させる表面に対して見開き面となる表面を持った見開き板と、これら枠板と見開き板とを、互いの表面を見開きまた閉じるように連結した連結具とを備え、枠板及び見開き板の少なくとも見開き板の表面に文字、絵、図案、図柄で代表される装飾を、漆芸による表現を含んで施した漆器をなしていることを別の特徴とする。
【００１１】
このような構成によれば、枠板に対し見開き板を１８０度未満に開くことにより、互いを安定に立てて、見開いた双方の表面を鑑賞に供せられる。
【考案の効果】
【００１２】
本考案によると、見開き板の表面により、枠板の表面に比べ広くかつ中抜きの無い装飾面を確保できるので、装飾の絵、図案、図柄、文字の字数や配列の自由度が向上した画像表示フレームを提供できる。
【図面の簡単な説明】
【００１３】
【図１】本考案に係る画像表示フレームを示す斜視図である。
【図２】図１の画像表示フレームの横断面図である。
【図３】従来の画像表示フレームの一例を示す斜視図である。
【考案を実施するための形態】
【００１４】
図１を参照して、本考案の実施の形態に係る画像表示フレームについて説明する。図１に示すように、画像表示フレーム１は全体として屏風状の形態を有する。画像表示フレーム１は、画像表示体であるディスプレイ３による表示画像を視認させる窓がその中央部に形成された枠板２と、枠板２のディスプレイ３が露出する表面、つまり前記表示画像を視認させる表面に対して開閉可能に組合される見開き板４と、枠板２に見開き板４を連結する連結具５とを備える。
【００１５】
枠体２と見開き板４とは、連結具５により、０度から約１８０度までの角度で開閉可能に連結されている。画像表示フレーム１は、枠板２と見開き板４とを１８０度未満の任意の角度で開いた状態で、平面上に立てることができ、支持部材を設ける必要がない。１８０度の開き角で立てるには、画像表示フレーム１の背面に脚を設けて後傾姿勢にしたり、額立てなどが必要になる。本実施の形態において、連結具５は蝶番タイプのヒンジであるが、これに限られることはなく、開閉できるものであれば様々な連結手段を用いてよい。
【００１６】
また、枠板２と見開き板４とを図２に仮想線で示すように閉じたとき、それらの連結側で蝶番の連結軸部幅に近い隙間ができ、反連結側の自由端間でのみ当り合う閉じ状態になるように連結している。
【００１７】
さらに、枠体２と見開き板４との連結端部間には、支持部材無しに立ち得る最大開き角を制限する図２に仮想線で示すような当り部を形成すれば、開き過ぎにより転倒し損傷するのを防止できる。この当り部はゴム等の緩衝材とすることができる。緩衝材は、枠体２、見開き板４の自由端当接部の少なくとも一方に設けることもできる。
【００１８】
本実施の形態において、ディスプレイ３はデジタルフォトフレームであり、その入出力スイッチ等は枠体２の裏面に配置される。デジタルフォトフレームは、メモリカード等の外部メモリや内蔵メモリに保存された映像ファイルを認識して表示する。静止画の再生の他、動画の再生にも対応した製品が多く、無線通信などのネットワーク機能を有する製品もある。
【００１９】
画像表示フレーム１においては、枠板２の、ディスプレイ３の周囲を囲む部分の表面に加えて、見開き板４の、枠板２と対向する見開き面にも文字、絵、図案、図柄で代表される装飾を施すことができる。図１に示す画像表示フレーム１の場合は、漆を塗った下地処理後に蒔絵による装飾を施してある。見開き板４の見開き面には窓等を形成する必要がないので、装飾を施せる面積が大きく、装飾の図案にも制約がない。
【００２０】
さらに、用途によって文字を入れる要望がある場合は、見開き板４は装飾を施せる面積が大きく中抜きがないので、文字の字数や配列に制約がない。また、見開き板４の表面に文字を入れれば、ディスプレイ３の周囲に文字が入らないため、外観が損なわれることはない。
【００２１】
枠板２に施す装飾と、見開き板４に施す装飾とは、相互に関連する内容の図案であっても、別個の内容の図案であってもよい。相互に関連する内容の図案とした場合は、枠板２と見開き板４とで一様な情緒を表現でき、画像表示フレーム１を設置した時の外観が一層向上する。
【００２２】
本実施の形態において、枠板２と見開き板４とには、漆を塗った下地処理後に蒔絵による装飾を施した漆器としたが、蒔絵調の模様を有するシートやフィルム等を貼り付けることによって装飾を施してもよい。また、他の方法で装飾を施してもよい。
【産業上の利用可能性】
【００２３】
本考案は、装飾の絵、図案、図柄、文字の字数や配列の自由度が向上した画像表示フレームの作製に利用することができる。
【符号の説明】
【００２４】
１  画像表示フレーム
２  枠板
３  ディスプレイ（画像表示体）
４  見開き板
５  連結具
【図１】
0003165146.tif 000003
【図２】
0003165146.tif 000004
【図３】
0003165146.tif 000005